(57)【要約】【課題】通信リソースを効率よく使用すること。【解決手段】受信部１１１は、第１周波数帯域の第１セルと、第１周波数帯域とは異なる第２周波数帯域の第２セルであって第１セルより範囲が狭い第２セルと、を同時に用いて無線信号を受信可能である。検出部１１２は、移動端末１１０の移動速度を検出する。設定部１１３は、受信部１１１が少なくとも第１セルを用いて無線信号を受信する第１状態であるときに検出部１１２によって検出された移動速度が所定速度を下回ると、受信部１１１を、第１セルを用いずに第２セルを用いて無線信号を受信する第２状態へ移行させる。【選択図】図１−２
2014183407.tif 000002
【特許請求の範囲】
【請求項１】
第１周波数帯域の第１セルと、前記第１周波数帯域とは異なる第２周波数帯域の第２セルであって前記第１セルより範囲が狭い第２セルと、を同時に用いて無線信号を受信可能な受信部と、
自端末の移動速度を検出する検出部と、
前記受信部が少なくとも前記第１セルを用いて無線信号を受信する第１状態であるときに前記検出部によって検出された移動速度が所定速度を下回ると、前記受信部を、前記第１セルを用いずに前記第２セルを用いて無線信号を受信する第２状態へ移行させる設定部と、
を備えることを特徴とする移動端末。
【請求項２】
前記設定部は、前記受信部が前記第１セルを用いずに前記第２セルを用いて無線信号を受信することを要求する要求情報（Ｍｅａｓｕｒｅｍｅｎｔ  Ｒｅｐｏｒｔ）を基地局へ送信し、前記第１セルを用いずに前記第２セルを用いて無線信号を受信することを指示する指示情報（ＲＲＣ  Ｃｏｎｎｅｃｔｉｏｎ  Ｒｅｃｏｎｆｉｇｕｒａｔｉｏｎ）を前記基地局から受信することにより前記受信部を前記第１状態から前記第２状態へ移行させることを特徴とする請求項１に記載の移動端末。
【請求項３】
前記設定部は、前記受信部を前記第２状態へ移行させた後に、前記検出部によって検出された移動速度が前記所定速度以上になると前記受信部を前記第１状態へ移行させることを特徴とする請求項１または２に記載の移動端末。
【請求項４】
前記第２周波数帯域の各セルについて受信品質の測定を行う測定部を備え、
前記設定部は、前記移動速度が前記所定速度を下回り、かつ前記測定部によって測定された受信品質が所定品質を上回っている場合は前記受信部を前記第２状態へ移行させ、前記移動速度が前記所定速度を下回り、かつ前記受信品質が前記所定品質以下である場合は前記受信部を前記第２状態へ移行させない、
ことを特徴とする請求項１〜３のいずれか一つに記載の移動端末。
【請求項５】
前記第１周波数帯域の各セルについての受信品質の第１測定と、前記第２周波数帯域の各セルについての受信品質の第２測定と、を行う測定部を備え、
前記設定部は、前記測定部による測定の結果に基づいて、前記受信部が無線信号の受信に用いるセルを設定し、
前記測定部は、前記移動速度が前記所定速度を下回ると前記第１測定を停止する、
ことを特徴とする請求項１〜４のいずれか一つに記載の移動端末。
【請求項６】
第１周波数帯域の第１セルと、前記第１周波数帯域とは異なる第２周波数帯域の第２セルであって前記第１セルより範囲が狭い第２セルと、を同時に用いて無線信号を受信可能な移動端末の制御方法において、
前記移動端末の移動速度を検出し、
前記移動端末が少なくとも前記第１セルを用いて無線信号を受信する第１状態であるときに検出した移動速度が所定速度を下回ると、前記移動端末を、前記第１セルを用いずに前記第２セルを用いて無線信号を受信する第２状態へ移行させる、
ことを特徴とする制御方法。
【請求項７】
無線信号を送信する少なくとも１つの基地局と、
第１周波数帯域の第１セルと、前記第１周波数帯域とは異なる第２周波数帯域の第２セルであって前記第１セルより範囲が狭い第２セルと、を同時に用いて前記基地局からの無線信号を受信可能な移動端末と、
を含み、
前記移動端末は、自端末の移動速度を検出し、少なくとも前記第１セルを用いて無線信号を受信する第１状態であるときに検出した前記移動速度が所定速度を下回ると、前記第１セルを用いずに前記第２セルを用いて無線信号を受信する第２状態へ移行する、
ことを特徴とする通信システム。
【請求項８】
前記移動端末は、前記移動速度が所定速度を下回ると、前記第１セルを用いずに前記第２セルを用いて無線信号を受信することを要求する要求情報を前記基地局へ送信し、
前記基地局は、前記移動端末によって前記要求情報が送信されると、前記第１セルを用いずに前記第２セルを用いて無線信号を受信することを指示する指示情報を前記移動端末へ送信し、
前記移動端末は、前記基地局によって送信された指示信号に基づいて前記第１状態から前記第２状態へ移行する、
ことを特徴とする請求項７に記載の通信システム。
【発明の詳細な説明】
【技術分野】
【０００１】
本発明は、移動端末、制御方法および通信システムに関する。
【背景技術】
【０００２】
従来、移動体通信方式としてＬＴＥ（Ｌｏｎｇ  Ｔｅｒｍ  Ｅｖｏｌｕｔｉｏｎ）やＬＴＥ−Ａ（ＬＴＥ−Ａｄｖａｎｃｅｄ）が知られている。ＬＴＥやＬＴＥ−Ａにおいては、たとえばＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多重接続）が用いられる。
【０００３】
また、ＬＴＥ−Ａにおいては、複数のコンポーネントキャリア（ＣＣ：Ｃｏｍｐｏｎｅｎｔ  Ｃａｒｒｉｅｒ）を束ねて使用するキャリアアグリゲーション（ＣＡ：Ｃａｒｒｉｅｒ  Ａｇｇｒｅｇａｔｉｏｎ）が用いられる。キャリアアグリゲーションにおいては、たとえば、プライマリセル（主セル）およびセカンダリセル（副セル）が選択される。プライマリセルには、たとえば、プラチナバンドと呼ばれる電波の届きやすい周波数帯域を用いる広域のセルが選択される。
【０００４】
また、共通ＩＤとなる仮想無線識別子を複数の基地局で使用することにより端末のハンドオーバ処理の軽減を図る技術が知られている（たとえば、下記特許文献１参照。）。また、移動端末が、無線基地局との間で、第１周波数帯域の第１キャリアおよび第１周波数帯域よりも高周波数帯域である第２周波数帯域の第２キャリアを同時に用いて信号の送受信を行う技術が知られている（たとえば、下記特許文献２参照。）。また、マイクロセルにおいて無線通信端末と通信している際に、無線通信端末から送信された信号の受信タイミングに応じて、無線通信端末との通信をマクロセルによる通信に切り替える技術が知られている（たとえば、下記特許文献３参照。）。
【先行技術文献】
【特許文献】
【０００５】
【特許文献１】特開２０１２−０１９３４８号公報
【特許文献２】特開２０１１−１４２５９６号公報
【特許文献３】特開２０１０−１４７８４８号公報
【発明の概要】
【発明が解決しようとする課題】
【０００６】
しかしながら、上述した従来技術では、広域のセルを用いなくても通信が安定する端末も、広域のセルを継続的にプライマリセルとして用いるため、広域のセルが混雑する一方、狭域のセルは空いている場合がある。このように、通信リソースを効率よく使用することができないという問題がある。
【０００７】
本発明は、上述した従来技術による問題点を解消するため、通信リソースを効率よく使用することができる移動端末、制御方法および通信システムを提供することを目的とする。
【課題を解決するための手段】
【０００８】
上述した課題を解決し、目的を達成するため、本発明の一側面によれば、第１周波数帯域の第１セルと、前記第１周波数帯域とは異なる第２周波数帯域の第２セルであって前記第１セルより範囲が狭い第２セルと、を同時に用いて無線信号を受信可能な移動端末において、前記移動端末の移動速度を検出し、前記移動端末が少なくとも前記第１セルを用いて無線信号を受信する第１状態であるときに検出した移動速度が所定速度を下回ると、前記移動端末を、前記第１セルを用いずに前記第２セルを用いて無線信号を受信する第２状態へ移行させる移動端末、制御方法および通信システムが提案される。
【発明の効果】
【０００９】
本発明の一側面によれば、通信リソースを効率よく使用することができるという効果を奏する。
【図面の簡単な説明】
【００１０】
【図１−１】図１−１は、実施の形態にかかる通信システムの一例を示す図である。
【図１−２】図１−２は、図１−１に示した通信システムにおける信号の流れの一例を示す図である。
【図１−３】図１−３は、移動端末が無線信号の受信に使用可能なセルの一例である。
【図２】図２は、キャリアアグリゲーションの一例を示す図である。
【図３】図３は、下り物理チャネルのフレームマッピングの一例を示す図である。
【図４】図４は、移動端末とネットワークとの間のメッセージフローの一例を示すシーケンス図である。
【図５】図５は、移動端末の動作の一例を示すフローチャート（その１）である。
【図６】図６は、移動端末の動作の一例を示すフローチャート（その２）である。
【図７】図７は、移動端末の動作の一例を示すフローチャート（その３）である。
【図８−１】図８−１は、第１イベント群の一例を示す図である。
【図８−２】図８−２は、第２イベント群の一例を示す図である。
【図９−１】図９−１は、移動端末のハードウェア構成の一例を示す図である。
【図９−２】図９−２は、図９−１に示した移動端末のハードウェア構成における信号の流れの一例を示す図である。
【発明を実施するための形態】
【００１１】
以下に図面を参照して、本発明にかかる移動端末、制御方法および通信システムの実施の形態を詳細に説明する。
【００１２】
（実施の形態）
図１−１は、実施の形態にかかる通信システムの一例を示す図である。図１−２は、図１−１に示した通信システムにおける信号の流れの一例を示す図である。図１−３は、移動端末が無線信号の受信に使用可能なセルの一例である。
【００１３】
図１−１，図１−２に示すように、実施の形態にかかる通信システム１００は、移動端末１１０と、基地局１２０と、を含む。移動端末１１０は、基地局１２０との間で無線通信を行う。基地局１２０は、複数の基地局であってもよい。
【００１４】
図１−３に示すセル１３１，１３２およびセル群１３３は、移動端末１１０が無線信号の受信に使用可能なセルである。セル１３１，１３２は、第１周波数帯域ｂ１を使用するセルである。セル群１３３は、第１周波数帯域ｂ１と異なる第２周波数帯域ｂ２を使用する各セルである。また、図１−３に示すように、セル群１３３の各セルは、セル１３１，１３２の少なくともいずれかと重複し、セル１３１，１３２より範囲（カバーエリア）が狭いセルである。
【００１５】
図１−１，図１−２に示すように、移動端末１１０は、受信部１１１と、検出部１１２と、設定部１１３と、を備える。受信部１１１は、基地局１２０からの無線信号を受信する。また、受信部１１１は、図１−３に示す、第１周波数帯域ｂ１のセル（たとえばセル１３１，１３２のいずれか）と、第２周波数帯域ｂ２のセル（たとえばセル群１３３のいずれか）と、を同時に用いて無線信号を受信可能である。
【００１６】
また、受信部１１１は、少なくとも第１周波数帯域ｂ１のセルを用いて無線信号を受信する第１状態と、第１周波数帯域ｂ１のセルを用いずに第２周波数帯域ｂ２のセルを用いて無線信号を受信する第２状態と、に設定可能である。第１状態においては、受信部１１１は、たとえば、第１周波数帯域ｂ１のセルと、第２周波数帯域ｂ２のセルと、を同時に用いて無線信号を受信する。第２状態においては、受信部１１１は、たとえば、第２周波数帯域ｂ２の複数のセルを同時に用いて無線信号を受信する。
【００１７】
第２周波数帯域ｂ２のセルは第１周波数帯域ｂ１のセルより範囲が狭いセルであるため、移動端末１１０が高速に移動すると、第１周波数帯域ｂ１のセルに比べて第２周波数帯域ｂ２のセルは通信品質が頻繁に劣化し、たとえば通信が頻繁に途切れる。
【００１８】
検出部１１２は、移動端末１１０（自端末）の移動速度を検出する。そして、検出部１１２は、検出の結果を設定部１１３へ出力する。
【００１９】
設定部１１３は、第１周波数帯域ｂ１および第２周波数帯域ｂ２の各セルのうちの受信部１１１が用いるセルを設定する。また、設定部１１３は、検出部１１２から出力された検出の結果に基づいて、受信部１１１が第１状態であるときに移動端末１１０の移動速度が所定速度を下回ると、受信部１１１を第２状態へ移行させる。
【００２０】
これにより、狭いセルでも通信が安定する低速移動中または停止中は、広域の第１周波数帯域ｂ１のセルを用いずに無線信号を受信することができる。これにより、高速移動中の移動端末等、通信が安定しない他の端末のために広域の第１周波数帯域ｂ１を空けることができる。このため、通信リソースを効率よく使用することができる。
【００２１】
また、設定部１１３は、受信部１１１を第２状態へ移行させた後に、移動端末１１０の移動速度が所定速度以上になると受信部１１１を第１状態へ移行させてもよい。これにより、移動端末１１０が高速移動を開始した場合は、広域の第１周波数帯域ｂ１を用いる通信に移行することによって、通信が不安定になることを回避することができる。
【００２２】
たとえば、設定部１１３は、第１周波数帯域ｂ１のセルを用いずに第２周波数帯域ｂ２のセルを用いて無線信号を受信することを要求する要求情報を基地局１２０へ送信する。そして、設定部１１３は、第１周波数帯域ｂ１のセルを用いずに第２周波数帯域ｂ２のセルを用いて無線信号を受信することを指示する指示情報を受信することにより、受信部１１１を第１状態から第２状態へ移行させる。
【００２３】
基地局１２０は、移動端末１１０からの要求情報を受信すると、移動端末１１０が第１周波数帯域ｂ１のセルを用いずに第２周波数帯域ｂ２のセルを用いて無線信号を受信することを指示するか否かを判断する。そして、指示すると判断した場合に、基地局１２０は、第１周波数帯域ｂ１のセルを用いずに第２周波数帯域ｂ２のセルを用いて無線信号を受信することを指示する指示情報を移動端末１１０へ送信する。
【００２４】
または、基地局１２０は、移動端末１１０からの要求情報を受信すると、受信した要求情報を上位システム（たとえば後述のＥＵＴＲＡＮ４１０）へ転送する。そして、基地局１２０は、移動端末１１０が第１周波数帯域ｂ１のセルを用いずに第２周波数帯域ｂ２のセルを用いて無線信号を受信することを指示する指示情報を上位システムから受信すると、受信した指示情報を移動端末１１０へ送信する。
【００２５】
＜受信品質に基づく設定＞
また、移動端末１１０は、測定部１１４を備えていてもよい。測定部１１４は、第１周波数帯域ｂ１および第２周波数帯域ｂ２の各セル（セクタも含む）について受信品質の測定を行う。測定部１１４による受信品質の測定は、たとえば各セルのパスロスを測定するセルサーチである。測定部１１４は、測定の結果を設定部１１３へ出力する。
【００２６】
測定部１１４によって測定される受信品質には、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）やＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ：搬送波レベル対干渉雑音比）などがある。
【００２７】
設定部１１３は、移動端末１１０の移動速度が所定速度を下回っていても、測定部１１４によって測定された第２周波数帯域ｂ２の受信品質が所定品質以下である場合は、受信部１１１を第２状態へ移行させないようにしてもよい。これにより、第２周波数帯域ｂ２の受信品質が低いにもかかわらず第２周波数帯域ｂ２のみによる通信へ移行して移動端末１１０の受信品質が低下することを回避することができる。
【００２８】
また、設定部１１３は、受信部１１１を第２状態へ移行させた後に、移動速度が所定速度以上になっても、受信品質が所定品質を上回っている場合は受信部１１１を第１状態へ移行させないようにしてもよい。これにより、移動端末１１０における第２周波数帯域ｂ２の受信品質が高いにもかかわらず第１周波数帯域ｂ１を用いる通信へ移行し、高速移動中の移動端末等が使用すべき広域の第１周波数帯域ｂ１を圧迫することを回避することができる。
【００２９】
＜測定の停止＞
測定部１１４は、検出部１１２から出力される検出の結果に基づいて、移動端末１１０の移動速度が所定速度を下回ると、第１周波数帯域ｂ１の受信品質の測定を停止するようにしてもよい。これにより、設定部１１３によって受信部１１１が第２状態へ移行し、受信部１１１が第１周波数帯域ｂ１を用いない場合に、第１周波数帯域ｂ１の受信品質の測定を停止して移動端末１１０の消費電力を抑えることができる。したがって、たとえば移動端末１１０の電池持ちを向上させることができる。
【００３０】
また、測定部１１４は、第１測定を停止した後に、移動端末１１０の移動速度が所定速度以上になると第１測定を再開するようにしてもよい。これにより、移動端末１１０が高速移動を開始した場合は、第１周波数帯域ｂ１の受信品質の測定結果に基づいて選択した第１周波数帯域ｂ１のセルを用いた通信へ移行し、通信を安定させることができる。
【００３１】
＜移動端末の適用例＞
通信システム１００は、たとえば、ＬＴＥ、ＬＴＥ−Ａ、無線ＬＡＮ（Ｌｏｃａｌ  Ａｒｅａ  Ｎｅｔｗｏｒｋ：構内通信網）等の無線通信が可能な通信システムに適用することができる。以下、ＬＴＥ−Ａの無線通信が可能な通信システムに通信システム１００を適用する場合について説明する。
【００３２】
（キャリアアグリゲーション）
図２は、キャリアアグリゲーションの一例を示す図である。図２の横軸は周波数を示している。図２に示すバンドＡは、６５０［ＭＨｚ］〜９７０［ＭＨｚ］の周波数帯域である。バンドＢは、３．２［ＧＨｚ］〜３．８［ＧＨｚ］の周波数帯域である。ＬＴＥ−Ａのキャリアアグリゲーションは、たとえば、バンドＡにおける１つのコンポーネントキャリア２１０と、バンドＢの３つのコンポーネントキャリア２２１〜２２３と、４つのコンポーネントキャリアと、によって行われる。
【００３３】
この場合は、コンポーネントキャリア２１０，２２１〜２２３のそれぞれの帯域幅を２０［ＭＨｚ］とすると、最大で８０［ＭＨｚ］幅でのサービスが可能になる。このようなキャリアアグリゲーションは、たとえば、Ｉｎｔｅｒ  ｆｒｅｑｕｅｎｃｙ  Ｃａｒｒｉｅｒ  Ａｇｇｒｅｇａｔｉｏｎと呼ばれる。
【００３４】
低周波帯域のバンドＡは、たとえばプラチナバンド（主要バンド）と呼ばれ、バンドＢに比べて電波が届きやすい周波数帯域である。このため、バンドＡを用いるセルは、カバーエリアが広くなり、たとえばマクロセルと呼ばれる。マクロセルのカバーエリアは、一例としては半径１［ｋｍ］程度である。
【００３５】
高周波帯域のバンドＢは、たとえばアドバンスド（Ａｄｖａｎｃｅｄ）バンド（拡張バンド）と呼ばれ、バンドＡに比べて電波が届きにくい周波数帯域である。このため、バンドＢを用いるセルは、カバーエリアが狭くなり、たとえばマイクロセルと呼ばれる。マイクロセルのカバーエリアは、一例としては半径１００［ｍ］程度である。
【００３６】
図１−３に示した第１周波数帯域ｂ１は、たとえば図２に示すバンドＡに対応する。図１−３に示した第２周波数帯域ｂ２は、たとえば図２に示すバンドＢに対応する。移動端末１１０は、低速移動中または停止中には、たとえば、プライマリＣＣ（Ｐｒｉｍａｒｙ  Ｃｏｍｐｏｎｅｎｔ  Ｃａｒｒｉｅｒ）としてバンドＡのコンポーネントキャリア２１０を使用し、セカンダリＣＣ（Ｓｅｃｏｎｄａｒｙ  Ｃｏｍｐｏｎｅｎｔ  Ｃａｒｒｉｅｒ）としてバンドＢのコンポーネントキャリア２２１〜２２３を使用する。この場合は、移動端末１１０において、プライマリセル（Ｐｒｉｍａｒｙ  ｃｅｌｌ）はコンポーネントキャリア２１０を使用するセルとなり、セカンダリセル（Ｓｅｃｏｎｄａｒｙ  ｃｅｌｌ）はコンポーネントキャリア２２１〜２２３を使用するセルとなる。
【００３７】
また、移動端末１１０は、高速移動中には、たとえば、プライマリＣＣおよびセカンダリＣＣとしてバンドＢのコンポーネントキャリア２２１〜２２３を使用する。この場合は、移動端末１１０において、プライマリセルおよびセカンダリセルはコンポーネントキャリア２２１〜２２３を使用するセルとなる。
【００３８】
（下り物理チャネルのフレームマッピング）
図３は、下り物理チャネルのフレームマッピングの一例を示す図である。図３において、横方向は時間を示し、縦方向は周波数を示している。フレーム３１０は、移動端末１１０における下り物理チャネルにおける１フレームを示している。フレーム３１０の長さは１０［ｍｓ］であり、下り物理チャネルにおいてフレーム３１０が繰り返し送信される。また、フレーム３１０は、１［ｍｓ］の長さの１０個のサブフレームを含む。
【００３９】
サブフレーム３２０は、フレーム３１０における１サブフレームを示している。サブフレーム３２０は、２個のスロットを含む。スロット３３０は、サブフレーム３２０における１スロットを示している。スロット３３０は、７個のＯＦＤＭシンボルを含む。スロット３３０の各ＯＦＤＭシンボルの先頭には、それぞれのシンボルの末尾部分をコピーした巡回プレフィクス（ＣＰ：Ｃｙｃｌｉｃ  Ｐｒｅｆｉｘ）が含まれる。
【００４０】
サブフレーム３２０には、たとえば、プライマリ同期信号３２１と、セカンダリ同期信号３２２と、ＰＢＣＨ３２３（Ｐｈｙｓｉｃａｌ  Ｂｒｏａｄｃａｓｔ  Ｃｈａｎｎｅｌ：物理ブロードキャストチャネル）と、ＰＤＣＣＨ３２４（Ｐｈｙｓｉｃａｌ  Ｄｏｗｎｌｉｎｋ  Ｃｏｎｔｒｏｌ  Ｃｈａｎｎｅｌ：物理下りリンク制御チャネル）と、ＰＤＳＣＨ３２５（Ｐｈｙｓｉｃａｌ  Ｄｏｗｎｌｉｎｋ  Ｓｈａｒｅｄ  Ｃｈａｎｎｅｌ：物理下りリンク共有チャネル）と、リファレンス信号３２６（ＲＳ：Ｒｅｆｅｒｅｎｃｅ  Ｓｉｇｎａｌ）と、が配置されている。移動端末１１０は、セルサーチの際に、たとえば、プライマリ同期信号３２１およびセカンダリ同期信号３２２を使用してセルとの同期処理を行うことによってセルＩＤを復調し、セルを特定する。
【００４１】
そして、移動端末１１０は、たとえばＬＴＥ−Ａの３ＧＰＰ規格３６．２１４に基づくＲＳＳＩ、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）およびＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）の測定を行う。
【００４２】
ＲＳＳＩの測定は、たとえば、測定バンドの無線パワー測定であり、セル信号に加えてノイズや干渉成分を加算した信号に対する無線パワー測定である。ＲＳＲＰの測定は、たとえば、リファレンス信号３２６のパワー測定である。リファレンス信号３２６は、各スロットにおけるシンボル「０」およびシンボル「４」に配置されている。
【００４３】
ＲＳＲＱは、たとえば、リファレンス信号３２６のパワーであるＲＳＲＰをＲＳＳＩで割ったものであり、たとえばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）に相当する。
【００４４】
また、移動端末１１０は、ＣＩＮＲの測定を行ってもよい。
【００４５】
（移動端末とネットワークとの間のメッセージフロー）
図４は、移動端末とネットワークとの間のメッセージフローの一例を示すシーケンス図である。図４に示すＥＵＴＲＡＮ４１０（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、たとえば基地局１２０に設けられる。または、ＥＵＴＲＡＮ４１０は、基地局１２０より上位の通信装置に設けられていてもよい。この場合は、移動端末１１０は、基地局１２０を介してＥＵＴＲＡＮ４１０との間で通信を行う。
【００４６】
ＬＴＥ−Ａ（たとえば３ＧＰＰ  ＴＳ３６．３３１）においては、たとえば周期的に以下の各ステップが実行される。まず、移動端末１１０が、Ｍｅａｓｕｒｅｍｅｎｔ  ＲｅｐｏｒｔをＥＵＴＲＡＮ４１０へ送信する（ステップＳ４０１）。Ｍｅａｓｕｒｅｍｅｎｔ  Ｒｅｐｏｒｔは、たとえば、上述したセルサーチによるＲＳＳＩ、ＲＳＲＰおよびＲＳＲＱの測定結果に基づく情報を含む。
【００４７】
つぎに、ＥＵＴＲＡＮ４１０が、ステップＳ４０１によって送信されたＭｅａｓｕｒｅｍｅｎｔ  Ｒｅｐｏｒｔに基づいて、移動端末１１０の設定変更の内容（変更なしも含む）を決定する（ステップＳ４０２）。設定変更には、たとえば、プライマリＣＣのプラチナバンドからアドバンスドバンドへの変更や、セカンダリＣＣの追加または削除等がある。つぎに、ＥＵＴＲＡＮ４１０は、ステップＳ４０２によって決定した設定変更の内容を示す情報を含むＲＲＣ  Ｃｏｎｎｅｃｔｉｏｎ  Ｒｅｃｏｎｆｉｇｕｒａｔｉｏｎを移動端末１１０へ送信する（ステップＳ４０３）。
【００４８】
つぎに、移動端末１１０が、ステップＳ４０３によって送信されたＲＲＣ  Ｃｏｎｎｅｃｔｉｏｎ  Ｒｅｃｏｎｆｉｇｕｒａｔｉｏｎに基づいて設定変更を行う（ステップＳ４０４）。つぎに、移動端末１１０が、設定変更を完了したことを示すＲＲＣ  Ｃｏｎｎｅｃｔｉｏｎ  Ｒｅｃｏｎｆｉｇｕｒａｔｉｏｎ  ＣｏｍｐｌｅｔｅをＥＵＴＲＡＮ４１０へ送信し（ステップＳ４０５）、一連のメッセージフローを終了する。
【００４９】
以上の各ステップにより、移動端末１１０における周期的なセルサーチの結果に基づいて、ＥＵＴＲＡＮ４１０が移動端末１１０の設定変更を決定し、決定結果にしたがって移動端末１１０の設定変更を行うことができる。
【００５０】
（移動端末の動作）
図５〜図７は、移動端末の動作の一例を示すフローチャートである。移動端末１１０は、電源がオンになると、たとえば図５〜図７に示す各ステップを実行する。まず、図５に示すように、移動端末１１０は、受信性能がよいプライマリＣＣを使用するプライマリセルを検出するプライマリセルサーチを行う（ステップＳ５０１）。プライマリセルサーチは、たとえば図２に示したコンポーネントキャリア２１０（プライマリＣＣ）についてのセルサーチである。ステップＳ５０１におけるプライマリセルサーチは、一例としては、移動端末１１０の電源が最後にオフになった際に設定されていたプライマリセルを検出するセルサーチとすることができる。
【００５１】
つぎに、移動端末１１０は、ステップＳ５０１によって検出されたプライマリセルにより通信を開始する（ステップＳ５０２）。つぎに、移動端末１１０は、ステップＳ５０１によって検出されたプライマリセルのＤｅｄｉｃａｔｅｄ  ＳｉｇｎａｌｉｎｇによりセカンダリＣＣ情報を取得する（ステップＳ５０３）。セカンダリＣＣ情報は、たとえばセカンダリＣＣの周波数帯域を示す情報である。
【００５２】
つぎに、移動端末１１０は、プラチナバンド測定なしフラグを「０」に設定する（ステップＳ５０４）。プラチナバンド測定なしフラグは、プラチナバンド（たとえば図２のバンドＡ）のセルサーチを行わない場合は「１」に設定され、セカンダリセルを行う場合は「０」に設定される情報である。つぎに、移動端末１１０は、図６に示すステップへ移行する（符号Ａ）。すなわち、移動端末１１０は、プライマリセルサーチを行う（ステップＳ６０１）。
【００５３】
つぎに、移動端末１１０は、プラチナバンド測定なしフラグが「１」であるか否かを判断する（ステップＳ６０２）。プラチナバンド測定なしフラグが「１」でない場合（ステップＳ６０２：Ｎｏ）は、移動端末１１０は、プラチナバンドおよびアドバンスドバンド（たとえば図２のバンドＢ）のセカンダリセルサーチを行い（ステップＳ６０３）、ステップＳ６０５へ移行する。
【００５４】
ステップＳ６０２において、プラチナバンド測定なしフラグが「１」である場合（ステップＳ６０２：Ｙｅｓ）は、移動端末１１０は、アドバンスドバンドのセカンダリセルサーチを行い（ステップＳ６０４）、プラチナバンドのセカンダリセルサーチは行わない。
【００５５】
つぎに、移動端末１１０は、移動端末１１０の移動速度Ｖｍが閾値Ｖｔｈ１を下回っているか否かを判断する（ステップＳ６０５）。閾値Ｖｔｈ１は、一例としては１５［ｋｍ／ｈ］とすることができる。移動速度Ｖｍが閾値Ｖｔｈ１を下回っている場合（ステップＳ６０５：Ｙｅｓ）は、移動端末１１０は、第１イベント群（たとえば図８−１参照）のチェックを行い（ステップＳ６０６）、ステップＳ６０９へ移行する。
【００５６】
ステップＳ６０５において、移動速度Ｖｍが閾値Ｖｔｈ１を下回っていない場合（ステップＳ６０５：Ｎｏ）は、移動端末１１０は、プラチナバンド測定なしフラグを「０」に設定する（ステップＳ６０７）。また、移動端末１１０は、第２イベント群（たとえば図８−２参照）のチェックを行う（ステップＳ６０８）。
【００５７】
つぎに、移動端末１１０は、ステップＳ６０６またはステップＳ６０８によるチェックによってイベントの発生を検出したか否かを判断する（ステップＳ６０９）。イベントの発生を検出していない場合（ステップＳ６０９：Ｎｏ）は、移動端末１１０は、所定期間を計時するタイマＴ１をセットする（ステップＳ６１０）。
【００５８】
つぎに、移動端末１１０は、ステップＳ６１０によってセットしたタイマＴ１が満了したか否かを判断し（ステップＳ６１１）、タイマＴ１が満了するまで待つ（ステップＳ６１１：Ｎｏのループ）。タイマＴ１が満了すると（ステップＳ６１１：Ｙｅｓ）、移動端末１１０は、ステップＳ６０１へ戻る。
【００５９】
ステップＳ６０９において、イベントの発生を検出した場合（ステップＳ６０９：Ｙｅｓ）は、移動端末１１０は、検出したイベントをプライマリセルでＭｅａｓｕｒｅｍｅｎｔ  Ｒｅｐｏｒｔによりネットワークへ報告する（ステップＳ６１２）。ネットワークは、たとえば図４に示したＥＵＴＲＡＮ４１０である。
【００６０】
つぎに、移動端末１１０は、ネットワークからＲＲＣ＿Ｃｏｎｎ＿Ｒｅｃｆ（ＲＲＣ  Ｃｏｎｎｅｃｔｉｏｎ  Ｒｅｃｏｎｆｉｇｕｒａｔｉｏｎ）を受信したか否かを判断する（ステップＳ６１３）。ＲＲＣ＿Ｃｏｎｎ＿Ｒｅｃｆを受信していない場合（ステップＳ６１３：Ｎｏ）は、移動端末１１０は、ステップＳ６１０へ移行する。
【００６１】
ステップＳ６１３において、ＲＲＣ＿Ｃｏｎｎ＿Ｒｅｃｆを受信した場合（ステップＳ６１３：Ｙｅｓ）は、移動端末１１０は、図７に示すステップへ移行する（符号Ｂ）。すなわち、移動端末１１０は、受信したＲＲＣ＿Ｃｏｎｎ＿ＲｅｃｆがアドバンスドバンドをプライマリＣＣとする指示であるか否かを判断する（ステップＳ７０１）。
【００６２】
ステップＳ７０１において、ＲＲＣ＿Ｃｏｎｎ＿ＲｅｃｆがアドバンスドバンドをプライマリＣＣとする指示でない場合（ステップＳ７０１：Ｎｏ）は、移動端末１１０は、ステップＳ７０４へ移行する。ＲＲＣ＿Ｃｏｎｎ＿ＲｅｃｆがアドバンスドバンドをプライマリＣＣとする指示である場合（ステップＳ７０１：Ｙｅｓ）は、移動端末１１０は、アドバンスドバンドをプライマリＣＣとする（ステップＳ７０２）。また、移動端末１１０は、プラチナバンド測定なしフラグを「１」に設定する（ステップＳ７０３）。
【００６３】
つぎに、移動端末１１０は、受信したＲＲＣ＿Ｃｏｎｎ＿ＲｅｃｆがセカンダリＣＣの追加または削除の指示であるか否かを判断する（ステップＳ７０４）。ＲＲＣ＿Ｃｏｎｎ＿ＲｅｃｆがセカンダリＣＣの追加または削除の指示でない場合（ステップＳ７０４：Ｎｏ）は、移動端末１１０は、ステップＳ７０６へ移行する。ＲＲＣ＿Ｃｏｎｎ＿ＲｅｃｆがセカンダリＣＣの追加または削除の指示である場合（ステップＳ７０４：Ｙｅｓ）は、移動端末１１０は、ＲＲＣ＿Ｃｏｎｎ＿ＲｅｃｆにしたがってセカンダリＣＣの追加または削除を行う（ステップＳ７０５）。
【００６４】
つぎに、移動端末１１０は、所定期間を計時するタイマＴ１をセットする（ステップＳ７０６）。つぎに、移動端末１１０は、ステップＳ７０６によってセットしたタイマＴ１が満了したか否かを判断し（ステップＳ７０７）、タイマＴ１が満了するまで待つ（ステップＳ７０７：Ｎｏのループ）。ステップＳ７０７において、タイマＴ１が満了すると（ステップＳ７０７：Ｙｅｓ）、移動端末１１０は、図６に示したステップＳ６０１へ戻る（符号Ａ）。
【００６５】
図５〜図７の各ステップにより、移動端末１１０は、タイマＴ１によって計時される周期ごとにイベントのチェックを行い、イベントの発生を検出するとネットワークに報告し、ネットワークから設定変更の指示があった場合に設定変更を行うことができる。
【００６６】
また、移動端末１１０は、移動端末１１０が高速移動中でない場合は、第１イベント群をチェックし、チェック結果に応じてプライマリＣＣのプラチナバンドからアドバンスドバンドへの変更を行うことができる。また、プライマリＣＣをアドバンスドバンドとしている場合は、プラチナバンドのセルサーチを行わないようにすることができる。
【００６７】
また、移動端末１１０が高速移動中でない場合は、第２イベント群をチェックすることにより、プライマリＣＣのプラチナバンドからアドバンスドバンドへの変更を行わないようにすることができる。
【００６８】
また、移動端末１１０は、プライマリＣＣのプラチナバンドからアドバンスドバンドへの変更を行った後に移動端末１１０が高速移動中でなくなると、プラチナバンドのセルサーチを再開することができる。これにより、たとえばプラチナバンド（ネイバセル）のパワーが閾値より高くなった場合に（たとえば後述の「ＥｖｅｎｔＡ４」）、ＥＵＴＲＡＮ４１０への報告を行うことによって、プライマリＣＣのアドバンスドバンドからプラチナバンドへの変更を行うことができる。
【００６９】
なお、タイマＴ１によって計時される時間は、一例としては、移動端末１１０の移動速度や電池残量等を反映するために３０秒〜１８０秒程度とすることができる。
【００７０】
（チェック対象のイベント群）
図８−１は、第１イベント群の一例を示す図である。図６のステップＳ６０６においてチェックされる第１イベント群は、たとえば図８−１に示すテーブル８１０に示すイベント群である。すなわち、テーブル８１０に示すイベント群は、移動端末１１０が高速移動中でない場合にチェックされるイベント群である。テーブル８１０に示すように、第１イベント群には「ＥｖｅｎｔＡ１」〜「ＥｖｅｎｔＡ６」、「ＥｖｅｎｔＢ１」，「ＥｖｅｎｔＢ２」および「ＥｖｅｎｔＣ１」が含まれている。
【００７１】
「ＥｖｅｎｔＡ１」〜「ＥｖｅｎｔＡ６」および「ＥｖｅｎｔＢ１」，「ＥｖｅｎｔＢ２」は、たとえば、３ＧＰＰ（３ｒｄ  Ｇｅｎｅｒａｔｉｏｎ  Ｐａｒｔｎｅｒｓｈｉｐ  Ｐｒｏｊｅｃｔ）のＴＳ３６．３３１に規定されているイベントである。「ＥｖｅｎｔＣ１」は、ＴＳ３６．３３１に規定されたイベントに対する追加のイベントである。
【００７２】
「ＥｖｅｎｔＡ１」は、サービングセルのパワーが閾値よりよくなったときに発生するイベントである。「ＥｖｅｎｔＡ２」は、サービングセルのパワーが閾値より悪くなったときに発生するイベントである。「ＥｖｅｎｔＡ３」は、ネイバセルのパワーがプライマリセルと比較して定めたオフセットよりよくなったときに発生するイベントである。
【００７３】
「ＥｖｅｎｔＡ４」は、ネイバセルのパワーが閾値よりよくなったときに発生するイベントである。「ＥｖｅｎｔＡ５」は、プライマリセルのパワーが閾値より悪くなりかつネイバセルのパワーが閾値よりよくなったときに発生するイベントである。「ＥｖｅｎｔＡ６」は、ネイバセルのパワーがセカンダリセルのパワーと比較して定めたオフセットよりよくなったときに発生するイベントである。
【００７４】
「ＥｖｅｎｔＢ１」は、Ｉｎｔｅｒ  ＲＡＴ（他の無線システム）のネイバセルのパワーが閾値に比較してよくなったときに発生するイベントである。「ＥｖｅｎｔＢ２」は、プライマリセルが閾値より悪くなりＩｎｔｅｒ  ＲＡＴ（他の無線システム）のネイバセルのパワーが閾値よりよくなったときに発生するイベントである。
【００７５】
「ＥｖｅｎｔＣ１」は、移動端末１１０のプライマリＣＣがプラチナバンドであり、移動端末１１０が高速移動中でない場合に、プラチナバンドを移動端末１１０から解放するためにチェックされる。「ＥｖｅｎｔＣ１」は、アドバンスドバンドがセカンダリＣＣのＣＩＮＲがあらかじめ決めておいた閾値より良好なときに発生するイベントである。
【００７６】
移動端末１１０は、「ＥｖｅｎｔＣ１」が発生すると、アドバンスドバンドをプライマリＣＣにすることを要求する情報を、Ｍｅａｓｕｒｅｍｅｎｔ  ＲｅｐｏｒｔによってＥＵＴＲＡＮ４１０へ送信する。アドバンスドバンドをプライマリＣＣにすることを要求する情報は、すなわち、移動端末１１０が、プラチナバンドのセルを用いずにアドバンスドバンドのセルによって無線信号を受信することを要求する情報である。
【００７７】
図８−２は、第２イベント群の一例を示す図である。図６のステップＳ６０８においてチェックされる第２イベント群は、たとえば図８−２に示すテーブル８２０に示すイベント群である。すなわち、テーブル８２０に示すイベント群は、移動端末１１０が高速移動中である場合にチェックされるイベント群である。テーブル８２０に示すように、第２イベント群には「ＥｖｅｎｔＡ１」〜「ＥｖｅｎｔＡ６」および「ＥｖｅｎｔＢ１」，「ＥｖｅｎｔＢ２」が含まれている。また、第２イベント群には、図８−１に示した第１イベント群に含まれている「ＥｖｅｎｔＣ１」は含まれていない。
【００７８】
このように、移動端末１１０は、移動端末１１０が高速移動中である場合には、プライマリＣＣをアドバンスドバンドに移行するための「ＥｖｅｎｔＣ１」についてはチェックしないようにする。
【００７９】
（移動端末のハードウェア構成）
図９−１は、移動端末のハードウェア構成の一例を示す図である。図９−２は、図９−１に示した移動端末のハードウェア構成における信号の流れの一例を示す図である。図９−１，図９−２に示すように、移動端末１１０は、アンテナ９０１と、ＬＴＥ−Ａデバイス９１０と、ＣＰＵ９２１と、メモリ９２２と、表示部９３１と、操作部９３２と、マイク９３３と、スピーカ９３４と、端末速度検出部９４１と、を備える。
【００８０】
ＬＴＥ−Ａデバイス９１０は、ＬＴＥ−Ａ方式の通信処理を行う通信回路である。たとえば、ＬＴＥ−Ａデバイス９１０は、ＬＴＥ−Ａ無線部９１１と、ＬＴＥ−Ａベースバンド部９１２と、を有する。ＬＴＥ−Ａ無線部９１１は、ＬＴＥ−Ａベースバンド部９１２から出力された送信信号を、ＬＴＥ−Ａ方式によりアンテナ９０１を介して無線送信する。また、ＬＴＥ−Ａ無線部９１１は、ＬＴＥ−Ａ方式によりアンテナ９０１を介して受信した受信信号をＬＴＥ−Ａベースバンド部９１２へ出力する。
【００８１】
ＬＴＥ−Ａベースバンド部９１２は、ＣＰＵ９２１から出力された送信信号のベースバンド処理を行い、ベースバンド処理を行った送信信号をＬＴＥ−Ａ無線部９１１へ出力する。また、ＬＴＥ−Ａベースバンド部９１２は、ＬＴＥ−Ａ無線部９１１から出力された受信信号のベースバンド処理を行い、ベースバンド処理を行った受信信号をＣＰＵ９２１へ出力する。
【００８２】
ＣＰＵ９２１（Ｃｅｎｔｒａｌ  Ｐｒｏｃｅｓｓｉｎｇ  Ｕｎｉｔ）は、移動端末１１０の全体の制御を司る。たとえば、図５〜図７に示した各ステップはＣＰＵ９２１によって実行される。
【００８３】
メモリ９２２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ９２１のワークエリアとして使用される。補助メモリは、たとえば磁気ディスクやフラッシュメモリなどの不揮発メモリである。補助メモリには、移動端末１１０を動作させる各種のプログラムが記憶されている。補助メモリに記憶されたプログラムは、メインメモリにロードされてＣＰＵ９２１によって実行される。
【００８４】
表示部９３１は、ＣＰＵ９２１からの制御により、移動端末１１０のユーザに対して情報を表示する。表示部９３１は、たとえば液晶ディスプレイ等によって実現することができる。操作部９３２は、移動端末１１０のユーザからの操作を受け付け、受け付けた内容をＣＰＵ９２１へ通知する。操作部９３２は、たとえばスイッチやキーなどによって実現することができる。また、タッチパネルなどによって表示部９３１および操作部９３２を実現してもよい。マイク９３３は、ユーザからの音声入力を受け付け、受け付けた内容をＣＰＵ９２１へ通知する。スピーカ９３４は、ＣＰＵ９２１からの制御により、移動端末１１０のユーザに対して音声を出力する。
【００８５】
端末速度検出部９４１は、移動端末１１０の移動速度を検出する。端末速度検出部９４１は、たとえば加速度センサ等を用いて移動速度を検出する。ただし、端末速度検出部９４１による移動速度の検出についてはこれに限らず、各種の方法を用いることができる。たとえば、端末速度検出部９４１は、アンテナ９０１による受信信号の周波数や位相の情報に基づいて移動速度を検出してもよい。
【００８６】
また、端末速度検出部９４１は、ＧＰＳ（Ｇｌｏｂａｌ  Ｐｏｓｉｔｉｏｎｉｎｇ  Ｓｙｓｔｅｍ：全地球測位システム）等により移動端末１１０の位置情報を取得し、位置情報の変化に基づいて移動速度を検出してもよい。また、端末速度検出部９４１は、移動端末１１０の通信先の基地局の変化に基づいて移動速度を検出してもよい。
【００８７】
端末速度検出部９４１は、たとえばＣＰＵ９２１とは別の電子回路等によって実現することができる。または、端末速度検出部９４１は、たとえばＣＰＵ９２１がプログラムを実行することによって実現されてもよい。
【００８８】
図１−１，図１−２に示した受信部１１１は、たとえばアンテナ９０１およびＬＴＥ−Ａデバイス９１０によって実現することができる。図１−１，図１−２に示した測定部１１４は、たとえばアンテナ９０１、ＬＴＥ−Ａデバイス９１０およびＣＰＵ９２１によって実現することができる。
【００８９】
図１−１，図１−２に示した設定部１１３は、たとえばＬＴＥ−Ａデバイス９１０およびＣＰＵ９２１によって実現することができる。図１−１，図１−２に示した検出部１１２は、たとえば端末速度検出部９４１によって実現することができる。
【００９０】
以上説明したように、移動端末、制御方法および通信システムによれば、通信リソースを効率よく使用することができる。これにより、たとえば、無線システムのユーザ容量を向上させることができる。
【００９１】
たとえば、従来のＬＴＥ−Ａでは、移動速度が遅い端末でもプラチナバンドをプライマリＣＣとして継続的に使用するため、プラチナバンドはいつも混雑し、品質の低下が頻発する。たとえば高速移動中の移動端末はプラチナバンドに頼らざるを得ないが、プラチナバンドの品質が低下することにより無線サービスの品質が低下する。
【００９２】
これに対して、移動端末１１０は、拡張バンドでも通信が安定する低速移動中や停止中には、プライマリＣＣをプラチナバンドから拡張バンドへ移行することにより、高速移動中の移動端末等のためにプラチナバンドを空けることができる。このため、通信リソースを効率よく使用し、通信システム１００における通信品質を向上させることができる。
【００９３】
上述した実施の形態に関し、さらに以下の付記を開示する。
【００９４】
（付記１）第１周波数帯域の第１セルと、前記第１周波数帯域とは異なる第２周波数帯域の第２セルであって前記第１セルより範囲が狭い第２セルと、を同時に用いて無線信号を受信可能な受信部と、
自端末の移動速度を検出する検出部と、
前記受信部が少なくとも前記第１セルを用いて無線信号を受信する第１状態であるときに前記検出部によって検出された移動速度が所定速度を下回ると、前記受信部を、前記第１セルを用いずに前記第２セルを用いて無線信号を受信する第２状態へ移行させる設定部と、
を備えることを特徴とする移動端末。
【００９５】
（付記２）前記設定部は、前記受信部が前記第１セルを用いずに前記第２セルを用いて無線信号を受信することを要求する要求情報を基地局へ送信し、前記第１セルを用いずに前記第２セルを用いて無線信号を受信することを指示する指示情報を前記基地局から受信することにより前記受信部を前記第１状態から前記第２状態へ移行させることを特徴とする付記１に記載の移動端末。
【００９６】
（付記３）前記設定部は、前記受信部を前記第２状態へ移行させた後に、前記検出部によって検出された移動速度が前記所定速度以上になると前記受信部を前記第１状態へ移行させることを特徴とする付記１または２に記載の移動端末。
【００９７】
（付記４）前記第２周波数帯域の各セルについて受信品質の測定を行う測定部を備え、
前記設定部は、前記移動速度が前記所定速度を下回り、かつ前記測定部によって測定された受信品質が所定品質を上回っている場合は前記受信部を前記第２状態へ移行させ、前記移動速度が前記所定速度を下回り、かつ前記受信品質が前記所定品質以下である場合は前記受信部を前記第２状態へ移行させない、
ことを特徴とする付記１〜３のいずれか一つに記載の移動端末。
【００９８】
（付記５）前記設定部は、前記受信部を前記第２状態へ移行させた後に、前記検出部によって検出された移動速度が前記所定速度以上になり、かつ前記測定部によって測定された受信品質が所定品質以下である場合は前記受信部を前記第１状態へ移行させ、前記移動速度が前記所定速度以上になり、かつ前記受信品質が前記所定品質を上回っている場合は前記受信部を前記第１状態へ移行させない、
ことを特徴とする付記４に記載の移動端末。
【００９９】
（付記６）前記第１周波数帯域の各セルについての受信品質の第１測定と、前記第２周波数帯域の各セルについての受信品質の第２測定と、を行う測定部を備え、
前記設定部は、前記測定部による測定の結果に基づいて、前記受信部が無線信号の受信に用いるセルを設定し、
前記測定部は、前記移動速度が前記所定速度を下回ると前記第１測定を停止する、
ことを特徴とする付記１〜５のいずれか一つに記載の移動端末。
【０１００】
（付記７）前記測定部は、前記第１測定を停止した後に、前記検出部によって検出された移動速度が前記所定速度以上になると前記第１測定を再開することを特徴とする付記６に記載の移動端末。
【０１０１】
（付記８）第１周波数帯域の第１セルと、前記第１周波数帯域とは異なる第２周波数帯域の第２セルであって前記第１セルより範囲が狭い第２セルと、を同時に用いて無線信号を受信可能な移動端末の制御方法において、
前記移動端末の移動速度を検出し、
前記移動端末が少なくとも前記第１セルを用いて無線信号を受信する第１状態であるときに検出した移動速度が所定速度を下回ると、前記移動端末を、前記第１セルを用いずに前記第２セルを用いて無線信号を受信する第２状態へ移行させる、
ことを特徴とする制御方法。
【０１０２】
（付記９）無線信号を送信する少なくとも１つの基地局と、
第１周波数帯域の第１セルと、前記第１周波数帯域とは異なる第２周波数帯域の第２セルであって前記第１セルより範囲が狭い第２セルと、を同時に用いて前記基地局からの無線信号を受信可能な移動端末と、
を含み、
前記移動端末は、自端末の移動速度を検出し、少なくとも前記第１セルを用いて無線信号を受信する第１状態であるときに検出した前記移動速度が所定速度を下回ると、前記第１セルを用いずに前記第２セルを用いて無線信号を受信する第２状態へ移行する、
ことを特徴とする通信システム。
【０１０３】
（付記１０）前記移動端末は、前記移動速度が所定速度を下回ると、前記第１セルを用いずに前記第２セルを用いて無線信号を受信することを要求する要求情報を前記基地局へ送信し、
前記基地局は、前記移動端末によって前記要求情報が送信されると、前記第１セルを用いずに前記第２セルを用いて無線信号を受信することを指示する指示情報を前記移動端末へ送信し、
前記移動端末は、前記基地局によって送信された指示信号に基づいて前記第１状態から前記第２状態へ移行する、
ことを特徴とする付記９に記載の通信システム。
【符号の説明】
【０１０４】
１００  通信システム
１１０  移動端末
１１１  受信部
１１２  検出部
１１３  設定部
１１４  測定部
１２０  基地局
１３１，１３２  セル
１３３  セル群
２１０，２２１〜２２３  コンポーネントキャリア
３１０  フレーム
３２０  サブフレーム
３２１  プライマリ同期信号
３２２  セカンダリ同期信号
３２３  ＰＢＣＨ
３２４  ＰＤＣＣＨ
３２５  ＰＤＳＣＨ
３２６  リファレンス信号
３３０  スロット
４１０  ＥＵＴＲＡＮ
８１０，８２０  テーブル
９０１  アンテナ
９１０  ＬＴＥ−Ａデバイス
９１１  ＬＴＥ−Ａ無線部
９１２  ＬＴＥ−Ａベースバンド部
９２１  ＣＰＵ
９２２  メモリ
９３１  表示部
９３２  操作部
９３３  マイク
９３４  スピーカ
９４１  端末速度検出部
【図１−１】
2014183407.tif 000003
【図１−２】
2014183407.tif 000004
【図１−３】
2014183407.tif 000005
【図２】
2014183407.tif 000006
【図３】
2014183407.tif 000007
【図４】
2014183407.tif 000008
【図５】
2014183407.tif 000009
【図６】
2014183407.tif 000010
【図７】
2014183407.tif 000011
【図８−１】
2014183407.tif 000012
【図８−２】
2014183407.tif 000013
【図９−１】
2014183407.tif 000014
【図９−２】
2014183407.tif 000015